(57)【特許請求の範囲】
【請求項１】
生ゴミを投入する投入口が設けられており、前記生ゴミを収納し乾燥処理する処理容器と、前記処理容器内を加熱乾燥する温風送風手段と、前記投入口を開閉する投入口扉と、前記処理容器に設けられた圧力逃がし口を開閉する圧力逃がし弁と、操作用電源スイッチとは別に設けられており、前記投入口扉及び前記圧力逃がし弁の開閉動作に連動してＯＮ−ＯＦＦされる第２スイッチと、前記投入口扉に設けられており、前記第２スイッチをＯＮ−ＯＦＦさせる投入口扉レバーと、前記投入口扉レバーの下方に位置するように前記圧力逃がし弁に設けられた連結レバーと、を有し、前記第２スイッチは、前記投入口扉の閉成時に前記投入口扉レバーによってＯＮされるとともに、前記圧力逃がし弁が動作した時に、前記投入口扉レバーが前記連結レバーの動作に連動して動作することによりＯＦＦされ、運転が停止する厨芥処理機。
【請求項２】
圧力逃がし弁が動作した時、もとの位置に戻らず、電源をＯＦＦ状態に維持した請求項１記載の厨芥処理機。
【請求項３】
圧力逃がし弁が動作した時、その状態を示す表示装置を設けた請求項１または２に記載の厨芥処理機。
【請求項４】
圧力逃がし弁が動作した時、その状態を示す表示装置を電源及び／または機器の運転の状態を示す表示装置で兼ねた請求項３記載の厨芥処理機。
【請求項５】
圧力逃がし弁が動作した時、爆風を機器内部で下方に放出するようにした請求項１〜４の何れか１項に記載の厨芥処理機。
【発明の詳細な説明】
【０００１】
【発明の属する技術分野】
本発明は、乾燥方式の厨芥処理機で、圧力逃がし弁付きの厨芥処理機に関するものである。
【０００２】
【従来の技術】
従来、乾燥方式の厨芥処理機で、アルコール等を含んだ生ゴミを投入された場合、乾燥処理中に爆発し機器を損傷するのを防止するために、万が一爆発した場合には弁が開いて圧力を逃がす圧力調整弁を設けているものがある。
【０００３】
【発明が解決しようとする課題】
前記従来の構成において、下記のような課題があげられる。
【０００４】
万が一爆発した場合でも厨芥処理機の電源が切れる構成になっていないため、圧力調整弁が動作しても圧力が逃げた以降も乾燥処理が続行されるため、次に使用されるとき前回の処理時に爆発したことの経緯が判らず、そのまま使用されてしまい同じようなことが繰り返し起こる可能性が高く、徐々に機器の損傷を引き起こして行くことになりかねない。
【０００５】
本発明はこのような従来の構成が有している課題を解決しようとするもので、爆発した場合に、次に連続して使用される時に使用者が前回の処理中に爆発のあったことを認識し、機器の損傷状態を確認して継続して運転を行うことの可否を判断することで、機器の損傷を最小限の範囲で防止することが可能な厨芥処理機を提供することを目的としている。
【０００６】
【課題を解決するための手段】
前記目的を達成するための本発明は、生ゴミを投入する投入口が設けられており、生ゴミを収納し乾燥処理する処理容器と、処理容器内を加熱乾燥する温風送風手段と、投入口を開閉する投入口扉と、処理容器に設けられた圧力逃がし口を開閉する圧力逃がし弁と、操作用電源スイッチとは別に設けられており、投入口扉及び圧力逃がし弁の開閉動作に連動してＯＮ−ＯＦＦされる第２スイッチと、投入口扉に設けられており、第２スイッチをＯＮ−ＯＦＦさせる投入口扉レバーと、投入口扉レバーの下方に位置するように圧力逃がし弁に設けられた連結レバーと、を有し、第２スイッチは、投入口扉の閉成時に投入口扉レバーによってＯＮされるとともに、圧力逃がし弁が動作した時に、投入口扉レバーが連結レバーの動作に連動して動作することによりＯＦＦされ、運転が停止することにより、一旦圧力調整弁が動作すれば、電源をＯＦＦすることにより、それ以降不安全状態で乾燥処理されることを防止し、また次に使用される時に使用者が、前回の処理時に異常が起こったことを認識し、機器の損傷状態を確認後運転の可否の判断を行うようにしたものである。
【０００７】
【発明の実施の形態】
本発明の請求項１記載の発明は、生ゴミを投入する投入口が設けられており、生ゴミを収納し乾燥処理する処理容器と、処理容器内を加熱乾燥する温風送風手段と、投入口を開閉する投入口扉と、処理容器に設けられた圧力逃がし口を開閉する圧力逃がし弁と、操作用電源スイッチとは別に設けられており、投入口扉及び圧力逃がし弁の開閉動作に連動してＯＮ−ＯＦＦされる第２スイッチと、投入口扉に設けられており、第２スイッチをＯＮ−ＯＦＦさせる投入口扉レバーと、投入口扉レバーの下方に位置するように圧力逃がし弁に設けられた連結レバーと、を有し、第２スイッチは、投入口扉の閉成時に投入口扉レバーによってＯＮされるとともに、圧力逃がし弁が動作した時に、投入口扉レバーが連結レバーの動作に連動して動作することによりＯＦＦされ、運転が停止することにより、一旦圧力調整弁が動作すれば電源をＯＦＦすることにより、それ以降不安全状態で乾燥処理されることを防止し、また次に使用される時に使用者が前回の処理時に異常が起こったことを認識し、機器の損傷状態を確認後、運転の可否の判断を行なうようにしたものである。
【０００８】
また、圧力逃がし弁が動作した時、操作用電源スイッチとは別に設けた第２スイッチがＯＦＦし処理機が運転停止することで、操作用電源スイッチを再度ＯＮにしても、運転が行われないようにすることで、次に運転して使用される時に使用者が前回の処理中に爆発のあったことを認識し、機器の損傷状態を確認して運転の判断を促すことで、機器の損傷を最小限の範囲で防止することができる。
【０００９】
本発明の請求項２記載の発明は、圧力逃がし弁が一旦開けば、もとの位置に戻らないようにし、電源をＯＦＦ状態に維持することで操作用電源スイッチを再度ＯＮにしても、運転が行われないようにすることで、次に運転して使用される時に使用者が前回の処理中に爆発のあったことを認識し、機器の損傷状態を確認して運転の判断を促すことで、機器の損傷を最小限の範囲で防止することができる。
【００１０】
本発明の請求項３記載の発明は、圧力逃がし弁が動作した時、その状態を示すパイロットランプ等の表示装置を設け、使用者に注意喚起を促すものである。
【００１１】
本発明の請求項４記載の発明は、圧力逃がし弁が動作した時、その状態を示す表示装置を電源、及び機器の運転の状態を示す表示装置で兼ねて使用者に注意喚起を促すものである。
【００１２】
本発明の請求項５記載の発明は、圧力逃がし弁が開いた時、爆風が機器の下方に出るようにすることにより、機器の損傷と機器外部への影響を極力抑えることができる。
【００１３】
【実施例】
以下、本発明の実施例である生ゴミ処理機について説明する。１は生ゴミ処理機本体、２は生ゴミを収納乾燥処理する処理容器で略Ｕの字型の断面形状をしている。この処理容器２の内部には、複数個の撹拌羽根３を有する撹拌軸４が水平に設けられ、撹拌軸４の一端には駆動源となる撹拌用電動機５（減速機を内蔵）を配設している。処理容器２の上面には、２個の乾燥ヒーター６と、乾燥ファン用電動機７で駆動する乾燥ファン８とこの両者を囲い、底面がパンチングメタル状に開口したヒーターカバー９、更にこのヒーターカバー９を囲うように脱臭装置１０を配設している。脱臭装置１０には複数個の触媒１１と複数個の触媒ヒーター１２とで構成されている。その後部には排湿ファン用電動機１３で駆動される排出ファン１４、及び排湿筒１５が接続されている。１６は生ゴミを投入する投入口、１７は下端を軸に開閉する投入口扉でハンドル１８により本体１に固定される。１９は処理容器２の上面に設けられた外気吸入口、２０は処理容器２の側面に設けられた排出口で撹拌軸４の後部で撹拌軸４より上方に設けられ、排出用電動機（図示せず）により開閉が行われる。２１は脱臭装置１０の裏側に位置する処理容器２の後面に設けられた圧力逃がし口で、圧力逃がし弁２２により通常は閉じられている。又圧力逃がし弁２２は、上端部をヒンジ２３で回動自在に固定され、下端は先端部が折れ曲がった板バネ２４により固定されている。２５は第２スイッチで、投入口扉１７及び圧力逃がし弁２２の開閉に連動して、生ゴミ処理機本体１の運転をＯＮ−ＯＦＦするもので、その連動は各々の投入口扉レバー２６、連結レバー２７で行われる。２８は操作スイッチ部及び表示装置部で、２９は電源キー（電源スイッチ）３０は運転スイッチ、３１は排出電動機用スイッチ、３２は運転停止スイッチで、各スイッチの横にはそのスイッチの状態を示す電源表示ランプ３３、運転ランプ３４、排出ランプ３５、停止ランプ３６が設けられている。
【００１４】
上記構成において、誤ってアルコール等が投入され、爆発した場合の機器の動作を説明する。爆発した場合には、急激に処理容器２内の圧力が上昇するため、圧力逃がし弁２２の全面に力が働き、板バネ２４の押圧力に打ち勝て圧力逃がし弁２２が開き、爆風は図中矢印の示すように生ゴミ処理機本体１内の下方に放出されると同時に圧力逃がし弁２２に連動して連結レバー２７が動作し、第２スイッチ２５がＯＦＦすることにより、機器本体の電源がＯＦＦする。また、圧力逃がし弁２２はその後板バネ２４の曲げ部に引っかかり閉まらないようし、第２スイッチ２５をＯＦＦのままで維持させている。一方表示装置２８の状態については、通常使用状態では、表示装置の一部である電源ランプ等を点灯し、異常なく処理が終了した場合については消灯するのに対し、爆発等で圧力逃がし弁２２が開いた場合は、第２スイッチ２５のＯＦＦを検知し電源ランプを点滅させる、あるいは次に運転する際、電源をＯＮしたときに電源ランプを点滅させる。このことにより、使用者が前回の処理中に爆発のあったことを認識し、機器の損傷状態を確認して継続して運転を行うことの可否を判断することができる。
【００１５】
【発明の効果】
本発明の請求項１記載の発明によれば、生ゴミを投入する投入口が設けられており、生ゴミを収納し乾燥処理する処理容器と、処理容器内を加熱乾燥する温風送風手段と、投入口を開閉する投入口扉と、処理容器に設けられた圧力逃がし口を開閉する圧力逃がし弁と、操作用電源スイッチとは別に設けられており、投入口扉及び圧力逃がし弁の開閉動作に連動してＯＮ−ＯＦＦされる第２スイッチと、投入口扉に設けられており、第２スイッチをＯＮ−ＯＦＦさせる投入口扉レバーと、投入口扉レバーの下方に位置するように圧力逃がし弁に設けられた連結レバーと、を有し、第２スイッチは、投入口扉の閉成時に投入口扉レバーによってＯＮされるとともに、圧力逃がし弁が動作した時に、投入口扉レバーが連結レバーの動作に連動して動作することによりＯＦＦされ、運転が停止することにより、そのまま連続して使用されるのを防止し、運転を停止し機器の損傷を最小限に押さえるものである。
【００１６】
本発明の請求項１または２記載の発明によれば、圧力逃がし弁が一旦開けば、操作用電源スイッチをＯＮされても機器が運転できないようにすることで、次に連続して使用される時に使用者が前回の処理中に爆発のあったことを認識し、機器の損傷状態を確認して運転の判断を促すことで、機器の損傷を最小限の範囲で防止することができる。
【００１７】
本発明の請求項３または４記載の発明によれば、圧力逃がし弁が開いた時、表示装置によりそれを表示することにより、使用者に注意喚起を起こしやすくして、機器の損傷を最小限の範囲で防止することができる。
【００１８】
本発明の請求項５記載の発明によれば、圧力逃がし弁が開いた時、爆風を機器の機能を損なわない空間に放出するあるいは機器の下方に放出することで、機器の損傷と機器外部への影響を極力抑えることが出きる。
【図面の簡単な説明】
【図１】  本発明の実施例である厨芥処理機の内部を透視した斜視図
【図２】  同厨芥処理機の乾燥ファン部、触媒部の断面図
【図３】  同厨芥処理機の圧力逃がし弁部を含む本体の断面図
【図４】  同厨芥処理機の圧力逃がし弁部の板バネ部の詳細図
【符号の説明】
２    処理容器
２２  圧力逃がし弁
２８  操作スイッチ部及び表示装置
２９  電源キー（電源スイッチ）
【図１】
0004590683.tif 000002
【図２】
0004590683.tif 000003
【図３】
0004590683.tif 000004
【図４】
0004590683.tif 000005